(57)【要約】      （修正有）【課題】乾電池の消耗を抑えることができる芳香器を提供する。【解決手段】通気口７を備えたケーシング９内に、芳香剤収容容器２と、芳香剤収容容器２の上方に配置されたファン３と、ファン３を駆動回転させるモータ４と、モータ４を駆動させる乾電池を収容する乾電池収容ケース５と、を備え、乾電池収容ケース５には、前記乾電池と、乾電池とモータ４との間に接続され、乾電池からの電力を断続するための間欠駆動回路が形成された基板とが収容されている。【選択図】図３
0003234723.tif 000002
【実用新案登録請求の範囲】
【請求項１】
通気口を備えたケーシング内に、芳香剤収容容器と、該芳香剤収容容器の周囲に配置されるファンと、該ファンを回転させるモータと、該モータを駆動させる乾電池を収容する乾電池収容ケースと、を備え、前記乾電池収容ケースには、前記乾電池と、該乾電池と前記モータとの間に接続され、該乾電池からの電力を断続するための間欠駆動回路が形成された基板と、を収容していることを特徴とする芳香器。
【請求項２】
前記ケーシングは、前記芳香剤収容容器と前記ファンと前記モータと前記乾電池収容ケースとを収容可能に構成されるとともに、前方が開口された箱型のケーシング本体と、前記通気口が形成され、前記ケーシング本体の開口を開閉可能な蓋体と、を備えていることを特徴とする請求項１に記載の芳香器。
【請求項３】
前記間欠駆動回路が、充放電用のコンデンサを有する充放電回路から構成されていることを特徴とする請求項１又は２に記載の芳香器。
【請求項４】
前記乾電池収容ケースの前面には、前記蓋体を開放したときに、前記乾電池を該乾電池収容ケースに挿入するための開口が形成されていることを特徴とする請求項２又は３に記載の芳香器。
【請求項５】
前記乾電池収容ケースは、前記ケーシング内に着脱可能に構成されていることを特徴とする請求項１〜４のうちのいずれか１項に記載の芳香器。
【考案の詳細な説明】
【技術分野】
【０００１】
本考案は、トイレや部屋等に香りを放出するための芳香器に関する。
【背景技術】
【０００２】
上記芳香器としては、芳香剤が収容された芳香剤収納ケースを収納可能な下部箱体と、芳香剤収納ケースの上方に配置されるファン及びファンを回転させるモータ並びにモータを駆動するための電源となる乾電池を収納可能な上部箱体と、を備えたものが提案されている（例えば、特許文献１参照）。
【０００３】
上記特許文献１の芳香器は、乾電池により常時モータを駆動する構成であるため、乾電池の消耗が大きく、早期に乾電池の交換が必要になるという不都合があり、改善の余地があった。
【先行技術文献】
【特許文献】
【０００４】
【特許文献１】実用新案登録第３０６５５５１号公報
【考案の概要】
【考案が解決しようとする課題】
【０００５】
そこで、本考案は、かかる事情に鑑みてなされたもので、乾電池の消耗を抑えることができる芳香器を提供することを課題とする。
【課題を解決するための手段】
【０００６】
本考案に係る芳香器は、通気口を備えたケーシング内に、芳香剤収容容器と、該芳香剤収容容器の周囲に配置されるファンと、該ファンを回転させるモータと、該モータを駆動させる乾電池を収容する乾電池収容ケースと、を備え、前記乾電池収容ケースには、前記乾電池と、該乾電池と前記モータとの間に接続され、該乾電池からの電力を断続するための間欠駆動回路が形成された基板と、を収容していることを特徴としている。
【０００７】
本考案によれば、基板に形成された間欠駆動回路により乾電池からの電力を断続することによって、モータを間欠駆動するので、乾電池の消耗を抑えることができる。
【０００８】
また、本考案に係る芳香器は、前記ケーシングが、前記芳香剤収容容器と前記ファンと前記モータと前記乾電池収容ケースとを収容可能に構成されるとともに、前方が開口された箱型のケーシング本体と、前記通気口が形成され、前記ケーシング本体の開口を開閉可能な蓋体と、を備えていてもよい。
【０００９】
上記構成によれば、蓋体をケーシング本体に対して開放することによって、乾電池収容ケースに収納されている乾電池の交換を行うことができる。乾電池の交換後は、蓋体をケーシング本体に対して閉じることによって、ケーシング本体の開口を閉じることができる。
【００１０】
また、本考案に係る芳香器は、前記間欠駆動回路が、充放電用のコンデンサを有する充放電回路から構成されていてもよい。
【００１１】
上記構成によれば、間欠駆動回路を、充放電用のコンデンサを有する充放電回路から構成することによって、乾電池の電力によりコンデンサが充電され、コンデンサの充電電流が放電される時にのみ、モータが駆動される。
【００１２】
また、本考案に係る芳香器は、前記乾電池収容ケースの前面には、前記蓋体を開放したときに、前記乾電池を該乾電池収容ケースに挿入するための開口が形成されていてもよい。
【００１３】
上記構成によれば、乾電池を乾電池収容ケースに挿入するための開口が乾電池収容ケースの前面に形成されることによって、電池を交換する際に、蓋体を開放した時に、前面の開口を通して乾電池の交換を迅速に行うことができる。
【００１４】
また、本考案に係る芳香器は、前記乾電池収容ケースが、前記ケーシング内に着脱可能に構成されていてもよい。
【００１５】
上記構成によれば、乾電池収容ケースが、ケーシング内に着脱可能に構成されていれば、乾電池収容ケースの破損等が発生した場合でも、破損した乾電池収容ケースを取り外して新たな乾電池収容ケースを取り付けるだけで済む。
【考案の効果】
【００１６】
以上の如く、間欠駆動回路でモータを間欠駆動することによって、乾電池の消耗を抑えることができる芳香器を提供することができる。
【図面の簡単な説明】
【００１７】
【図１】本考案の芳香器の斜視図である。
【図２】同芳香器の蓋体を取り外したケーシング本体の内部を示す正面図である。
【図３】同芳香器の縦断側面図である。
【図４】乾電池を収容する乾電池収容ケースの正面図である。
【図５】図４におけるＶ−Ｖ線断面図である。
【図６】図４におけるＶＩ−ＶＩ線断面図である。
【考案を実施するための形態】
【００１８】
以下、本考案に係る芳香器について、図面に基づいて説明する。この芳香器１は、図１〜図３に示すように、芳香剤収容容器２と、ファン３と、モータ４と、乾電池収容ケース５と、を備え、前方が開口された箱型のケーシング本体６と、通気口７が形成され、前記ケーシング本体６の開口６Ａを閉じる開閉可能な蓋体８と、を備えている。ケーシング本体６と、蓋体８とでケーシング９を構成する。図１において、紙面手前側を前側とし、紙面奥側を後側とし、紙面左側を左側とし、紙面右側を右側とし、紙面上下方向を上下方向として、以下説明する。
【００１９】
ケーシング本体６は、合成樹脂で形成され、上下方向に長い略長方形状の後壁部１０と、後壁部１０の４つの辺部のうち、上下辺部から前方に延びる上下一対の上下壁部１１，１２と、左右辺部から前方に延びる左右一対の左右壁部１３，１４と、を備えている。後壁部１０の前面（内面）の下端部には、芳香剤収容容器２を載置支持すべく、ケーシング本体６の前端よりも前方に延びる支持板部１５を備えている。また、後壁部１０の前面の上端部には、乾電池収容ケース５をケーシング本体６内に着脱可能に支持するための左右一対の支持部１６，１７を備えている。支持部１６，１７には、乾電池収容ケース５の左右方向両端部に備える第１プラス電極１８及びコイル状の第１マイナス電極１９に当接して該乾電池収容ケース５を弾性支持する電極２０及びコイルばね２１を支持する上下一対の補助支持部２２，２２、２３，２３を備えている。前記のように、乾電池収容ケース５が、ケーシング本体６内に着脱可能に構成されていれば、乾電池収容ケースの破損等が発生した場合でも、破損した乾電池収容ケースを取り外して新たな乾電池収容ケースを取り付けるだけで済む。尚、新たな乾電池収容ケースは、支持部１６，１７に対して着脱できる大きさ及び形状を有していれば、内部の構成を変更したものであってもよい。
【００２０】
蓋体８は、合成樹脂で形成され、ケーシング本体６に対して前方からの移動により係合可能でかつ後方への移動により係合が解除可能に構成されている。蓋体８は、具体的には、図１に示すように、上下方向に長い長方形状の前壁部２４と、前壁部２４の４つの辺部のうち、上下辺部から後方に延びる上下一対の上下壁部２５，２６と、左右辺部から後方に延びる左右一対の左右壁部２７，２８と、を備えている。
【００２１】
前壁部２４の上下方向中間部の左右方向両端部のそれぞれに、前壁部２４から左壁部２７（又は右壁部２８）へ亘る長さを有する水平方向に長いスリット２９（又は３０）が上下方向に間隔を置いて多数形成されている。ファン３が回転することにより、スリット２９，３０を介してケーシング９外の空気をケーシング９内へ取り込むとともにケーシング９内の香りを含んだ空気をケーシング９外へ排出するための通気口７を構成している。
【００２２】
前記のように、蓋体８をケーシング本体６に対して開放することによって、乾電池収容ケース５に収納されている乾電池３１の交換を行うことができる。乾電池３１の交換後は、蓋体８をケーシング本体６に対して閉じることによって、ケーシング本体６の開口６Ａを閉じることができる。
【００２３】
芳香剤収容容器２は、合成樹脂で形成され、図３に示すように、円形の底板部３２と、底板部３２の外周縁から上方に向かうほど外拡がり形状となる縦板部３３と、を備えた上方開放型の容器から構成されている。縦板部３３の上端には、外側に突出するフランジ部３３ａが形成されている。芳香剤収容容器２には、液状、固形状、ゲル状、粒状等の揮発性成分を有する芳香剤が収容される。
【００２４】
ファン３は、合成樹脂で形成され、外周縁に間隔を置いて多数の羽根を備える円形のファンから構成されるとともに、前後軸心回りに回転可能に構成されている。また、ファン３は、芳香剤収容容器２の直上方でかつケーシング９の上下方向中間部に配置されている。そして、ファン３の回転中心に、後壁部１０に固定されたモータ４の前後方向に延びる駆動軸４Ａ（図３参照）が一体回転可能に連結されている。ここでは、ファン３を芳香剤収容容器２の上方に配置しているが、下部又は横部又は後部等の周囲に配置してもよい。
【００２５】
乾電池収容ケース５は、図４〜図６に示すように、合成樹脂で形成される前後一対の分割ケース３４，３５が一体化して略円柱状のケースから構成されている。前側の分割ケース３４には、前面に乾電池３１を前側の分割ケース３４内に挿入するための開口３４Ａが形成されている。開口３４Ａは、乾電池３１の長手方向の長さよりも長く、乾電池３１の短手方向の長さよりも長く形成されている。このように乾電池３１を挿入するための開口３４Ａが乾電池収容ケース５の前面に形成されることによって、乾電池３１を交換する際に、蓋体８を開放した時に、前面の開口３４Ａを通して乾電池３１の交換を迅速に行うことができる、つまり乾電池収容ケース５に収容されている乾電池３１を取り外して、新たな乾電池３１を乾電池収容ケース５に取り付ける作業を迅速に行うことができる。また、図４に示すように、前側の分割ケース３４の開口３４Ａの短辺方向両側に後側に凹む上下一対の凹部３４Ｂ，３４Ｂが長手方向に沿って形成されている。これら凹部３４Ｂ，３４Ｂは、乾電池３１の取り付け作業時及び取り外し作業時に指を入れることができるように形成されており、乾電池３１の取り付け作業及び取り外し作業を容易に行うことができる。
【００２６】
前側の分割ケース３４は、具体的には、図６に示すように、乾電池３１を収容する収容空間３６を形成するために、上下一対の上下壁部３７，３８と、上下壁部３７，３８の後側端同士を上下方向で連結するための縦壁部３９と、を備えている。乾電池３１は、この実施形態では、単三電池を用いているが、単四電池、単二電池、あるいは単一電池を用いてもよいが、単一電池以外の電池を用いることによって、乾電池収容ケース５の小型化を図ることができ、好ましい。尚、前記上下壁部３７，３８の前記凹部３４Ｂ，３４Ｂの部分が開口３４Ａ側ほど外拡がりの円弧状に形成されている。
【００２７】
図５に示すように、前側の分割ケース３４の左右方向両端部には、乾電池３１のプラス側端子に接触する金属製の第２プラス電極４０と、乾電池３１のマイナス側端子に接触する金属製の第１マイナス電極１９と、を備えている。前記第２プラス電極４０は、後述する基板４２のプラス側入力部に接続され、前記第１マイナス電極１９は、後述する基板４２の第１マイナス側に電線４９を介して接続されている。前記第２プラス電極４０及び前記第１マイナス電極１９のそれぞれは、図４に示すように、上下一対の支持部５０，５０により支持されている。
【００２８】
また、後側の分割ケース３５には、乾電池３１からの電力を断続するための間欠駆動回路（図示せず）が形成された基板４２を収容している。間欠駆動回路が、充放電用のコンデンサ（図示せず）を有する充放電回路（図示せず）から構成されている。
【００２９】
基板４２は、前側の分割ケース３４の縦壁部３９の後面に後方に突出する複数の突出部４３，４３と、後側の分割ケース３５の内面から前方に突出する突出部４３，４３よりも径の大きな突起部４３Ａ，４３Ａとで挟まれた状態で突出部４３，４３と突起部４３Ａ，４３Ａとが両者を貫通するネジＰにより引き寄せられて固定されている（図６参照）。基板４２のプラス側の入力部と第２プラス電極４０とが電線４４を介して接続され、基板４２のプラス側の出力部と第１プラス電極１８とが電線４５を介して接続されている。また、基板４２の第２マイナス側の出力部と第２マイナス電極４１とが電線４６を介して接続されている。また、基板４２の第１マイナス側と第１マイナス電極１９とが電線４９を介して接続されている。また、電極２０とモータ４のプラス側とが電線４７を介して接続されるとともに、マイナス側の電極であるコイルばね２１とモータ４のマイナス側とが電線４８を介して接続されている（図２参照）。
【００３０】
したがって、乾電池３１の電力によりコンデンサが充電され、充電が完了すると、コンデンサの充電電流が放電される。この充電電流の放電によりモータ４が駆動される。つまり、コンデンサが充電される時にのみ、乾電池３１の電力が消費されるので、乾電池３１の消耗を抑えることができる。よって、乾電池３１の寿命を長くすることができ、乾電池３１の交換回数を減らすことができる。また、基板４２を乾電池収容ケース５内に収容することによって、間欠駆動回路を備えていない電池を電源としている芳香器において、間欠駆動回路を備えた基板４２が収容された乾電池収容ケース５を取り換えるだけで済む。また、タイマ回路で所定時間経過したことを計測した後に、乾電池３１とコンデンサとを接続することによりコンデンサの充電が開始されるように構成すれば、乾電池３１の寿命を更に長くすることができ、好ましい。
【００３１】
尚、本考案は、上記実施形態に限定されるものではなく、本考案の要旨を逸脱しない範囲で種々の変更が可能である。
【００３２】
前記実施形態では、１個の乾電池３１を乾電池収容ケース５に収容したが、複数（２個以上）の乾電池を乾電池収容ケース５に収容することによって、更に乾電池の交換時期を長くしてもよい。
【００３３】
また、前記実施形態では、ケーシング本体６に対して前後方向に開閉する蓋体８を設けたが、ケーシング本体６に対して上下方向に開閉する蓋体８であってもよい。また、蓋体８を、ケーシング本体６に対して開閉揺動自在に取り付けて実施してもよい。
【００３４】
また、前記実施形態では、直方体状の芳香器を示したが、円柱状、三角柱状、多角柱状等、どのような形状であってもよい。
【００３５】
また、前記実施形態では、乾電池収容ケース５をケーシング９の上端部に配置したが、ケーシング９の下端部に配置してもよい。
【００３６】
また、前記実施形態では、乾電池収容ケース５の前面に、乾電池３１を挿入するための開口３４Ａを形成したが、乾電池収容ケース５の上面に、乾電池３１を挿入するための開口を形成し、ケーシング９の上壁部に前記開口にアクセスできる開口及び開口を開閉するための蓋部を設けて、実施してもよい。
【符号の説明】
【００３７】
１…芳香器、２…芳香剤収容容器、３…ファン、４…モータ、４Ａ…駆動軸、５…乾電池収容ケース、６…ケーシング本体、６Ａ…開口、７…通気口、８…蓋体、９…ケーシング、１０…後壁部、１１，１２…上下壁部、１３，１４…左右壁部、１５…支持板部、１６，１７…支持部、１８…第１プラス電極、１９…第１マイナス電極、２０…電極、２１…コイルばね、２２，２３…補助支持部、２４…前壁部、２５，２６…上下壁部、２７，２８…左右壁部、２９，３０…スリット、３１…乾電池、３２…底板部、３３…縦板部、３３ａ…フランジ部、３４，３５…分割ケース、３４Ａ…開口、３４Ｂ…凹部、３６…収容空間、３７，３８…上下壁部、３９…縦壁部、４０…第２プラス電極、４１…第２マイナス電極、４２…基板、４３…突出部、４３Ａ…突起部、４４〜４９…電線、５０…支持部、Ｐ…ネジ
【図１】
0003234723.tif 000003
【図２】
0003234723.tif 000004
【図３】
0003234723.tif 000005
【図４】
0003234723.tif 000006
【図５】
0003234723.tif 000007
【図６】
0003234723.tif 000008